(57)【特許請求の範囲】
【請求項１】
着側の携帯電話の着信が不応答であることを知らせる不応答着信情報を、当該携帯電話又は着側の携帯電話のユーザが使用する端末装置に供給する不応答着信情報供給システムであって、
前記着側の携帯電話番号と前記不応答着信情報とを電子メールに記述して前記端末装置に送信するか又は当該不応答着信情報をＷｅｂページに記述して前記端末装置に送信するかを指定する送信先指定情報、及び前記端末装置に割り当てられたメールアドレス又はＵＲＬのいずれかが記述されたアドレス指定情報を記憶した不応答着信通知管理装置と、
前記不応答にかかる携帯電話番号が受信されたのち、前記不応答着信情報を記述したショートメッセージを生成して当該ショートメッセージを前記着側の携帯電話に送信するショートメッセージ送信装置と、
このショートメッセージ送信装置により送信された前記ショートメッセージに対する前記携帯電話からの応答がない場合に機能し、前記記憶された前記携帯電話番号に対応する前記指定情報が電子メールであるか又はＷｅｂページであるかを判定する判定機能を有する不応答着信通知対応装置と、
この不応答着信通知対応装置により前記携帯電話番号に対応する前記指定情報が電子メールを指定していると判定された場合には、前記不応答着信情報を記述した電子メールを生成し当該電子メールを前記端末装置に配信するメール配信装置と、
前記不応答着信通知対応装置により前記指定情報がＷｅｂページを指定していると判定された場合には、前記不応答着信情報を記述したＷｅｂページを生成し当該Ｗｅｂページを前記ＵＲＬに指定された箇所に記憶させるＷｅｂ情報配信装置とを備えたことを特徴とする不応答着信情報供給システム。
【請求項２】
前記請求項１に記載の不応答着信情報供給システムにおいて、
前記不応答着信通知管理装置は、前記指定情報が前記不応答着信通知対応装置によって電子メールを指定していると判定された場合に機能して発側の携帯電話の番号と，着側の前記携帯電話の番号と，指定情報データに記述されている着側の前記携帯電話の番号に対応するメールアドレスと，前記不応答着信情報とがそれぞれ記述された電子メール用の不応答着信通知データを生成する電子メール用通知データ生成機能を備え、
前記メール配信装置は、前記不応答着信通知管理装置により生成された電子メール用の不応答着信通知データから、前記不応答着信情報を記述した電子メールを生成しこれを前記端末装置に配信することを特徴とした不応答着信情報供給システム。
【請求項３】
前記請求項１記載の不応答着信情報供給システムにおいて、
前記不応答着信通知管理装置は、前記指定情報が前記不応答着信通知対応装置によってＷｅｂページを指定していると判定された場合に機能し、発側の携帯電話の携帯電話番号と，着側の前記携帯電話の携帯電話番号と，前記指定情報に記述されている着側の前記携帯電話の携帯電話番号に対応する前記ＵＲＬと，不応答着信情報とが，それぞれ記述されたＷｅｂページ用の不応答着信通知データ、を生成するＷｅｂページ用通知データ生成機能を備え、
前記Ｗｅｂ情報配信装置は、前記不応答着信通知管理装置により生成されたＷｅｂページ用の不応答着信通知データから、前記不応答着信情報を記述したＷｅｂページを生成し、当該Ｗｅｂページを前記ＵＲＬに指定された記憶領域に記憶させるＷｅｂページ記憶制御機能を備えていることを特徴とした不応答着信情報供給システム。
【請求項４】
着側の携帯電話の着信が不応答であることを知らせる不応答着信情報を、当該携帯電話又は着側の携帯電話のユーザが使用する端末装置に供給する不応答着信情報供給システムにあって、
前記着側の携帯電話番号と前記不応答着信情報とを電子メールに記述して前記端末装置に送信するか又は当該不応答着信情報をＷｅｂページに記述して前記端末装置に送信するかを指定する送信先指定情報および前記端末装置に割り当てられたメールアドレス又はＵＲＬのいずれかが記述されたアドレス指定情報が、予め装備された不応答着信通知管理装置に記憶されており、
前記不応答にかかる携帯電話番号が受信された場合にこれに基づいて前記不応答着信情報を記述したショートメッセージを、予め装備されたショートメッセージ送信装置が生成すると共に当該生成したショートメッセージを前記着側の携帯電話に送信し、
このショートメッセージ送信装置により送信された前記ショートメッセージに対する前記携帯電話からの応答がない場合に機能し、前記記憶された前記携帯電話番号に対応する前記指定情報が電子メールであるか又はＷｅｂページであるかを、予め装備された不応答着信通知対応装置が判定し、
この不応答着信通知対応装置により前記携帯電話番号に対応する前記指定情報が電子メールを指定している判定された場合に、予め装備されたメール配信装置が前記不応答着信情報を含む電子メールを生成すると共に当該生成した電子メールを前記端末装置に配信し、
前記不応答着信通知対応装置により前記指定情報がＷｅｂページを指定していると判定された場合に、予め装備されたＷｅｂ情報配信装置が前記不応答着信情報を記述したＷｅｂページを生成すると共に当該生成したＷｅｂページを前記ＵＲＬに指定された箇所に配信し記憶させることを特徴とした不応答着信情報供給方法。
【請求項５】
前記請求項４に記載の不応答着信情報供給方法において、
前記指定情報が前記不応答着信通知対応装置によって電子メールを指定していると判定された場合に、前記不応答着信通知管理装置が機能して発側の携帯電話の番号と，着側の前記携帯電話の番号と，指定情報データに記述されている着側の前記携帯電話の番号に対応するメールアドレスと，前記不応答着信情報とがそれぞれ記述された電子メール用の不応答着信通知データを生成し、
前記不応答着信通知管理装置により生成された電子メール用の不応答着信通知データに基づいて、前記メール配信装置が前記不応答着信情報を記述した電子メールを生成すると共にこれを前記端末装置に配信することを特徴とした不応答着信情報供給方法。
【請求項６】
前記請求項４に記載の不応答着信情報供給方法において、
前記指定情報が前記不応答着信通知対応装置によってＷｅｂページを指定していると判定された場合に、前記不応答着信通知管理装置が機能して、発側の携帯電話の携帯電話番号と，着側の前記携帯電話の携帯電話番号と，前記指定情報に記述されている着側の前記携帯電話の携帯電話番号に対応する前記ＵＲＬと不応答着信情報とが、それぞれ記述されたＷｅｂページ用の不応答着信通知データを生成し、
前記不応答着信通知管理装置により生成されたＷｅｂページ用の不応答着信通知データに基づいて前記Ｗｅｂ情報配信装置が、前記不応答着信情報を記述したＷｅｂページを生成すると共に当該Ｗｅｂページを前記ＵＲＬに指定された記憶領域に記憶させることを特徴とした不応答着信情報供給方法。
【請求項７】
着側の携帯電話の着信が不応答であることを知らせる不応答着信情報を、当該携帯電話又は着側の携帯電話のユーザが使用する端末装置に供給する不応答着信情報供給システムにあって、
前記着側の携帯電話番号と前記不応答着信情報とを電子メールに記述して前記端末装置に送信するか又は当該不応答着信情報をＷｅｂページに記述して前記端末装置に送信するかを指定する送信先指定情報および前記端末装置に割り当てられたメールアドレス又はＵＲＬのいずれかが記述されたアドレス指定情報が、予め装備された不応答着信通知管理装置に記憶されており、
前記不応答にかかる携帯電話番号が受信された場合にこれに基づいて前記不応答着信情報を記述したショートメッセージを、生成すると共に当該生成したショートメッセージを前記着側の携帯電話に送信するショートメッセージ生成送信処理機能、
この送信処理された前記ショートメッセージに対する前記携帯電話からの応答がない場合に機能し、前記記憶された前記携帯電話番号に対応する前記指定情報が電子メールであるか又はＷｅｂページであるかを判定するメール判定処理機能、
この判定により前記携帯電話番号に対応する前記指定情報が電子メールを指定している判定された場合に、前記不応答着信情報を含む電子メールを生成すると共に当該生成した電子メールを前記端末装置に配信する電子メール生成配信処理機能、
及び前記判定により前記指定情報がＷｅｂページを指定していると判定された場合に、前記不応答着信情報を記述したＷｅｂページを生成すると共に当該生成したＷｅｂページを前記ＵＲＬに指定された箇所に配信し記憶させるＷｅｂページ生成配信処理機能、
を設け、これらをコンピュータに実現させるようにしたことを特徴とする不応答着信情報供給プログラム。
【請求項８】
前記請求項７に記載の不応答着信情報供給プログラムにおいて、
前記メール判定処理機能が実行されて前記指定情報が電子メールを指定していると判定された場合に、前記発側の携帯電話の番号と，着側の前記携帯電話の番号と，前記指定情報に記述されている着側の前記携帯電話の番号に対応するメールアドレスと，前記不応答着信情報とがそれぞれ記述された電子メール用の不応答着信通知データを生成する不応答着信通知データ生成処理機能、
及びこの不応答着信通知データ生成処理機能により生成された電子メール用の不応答着信通知データに基づいて、前記不応答着信情報を記述した電子メールを生成すると共にこれを前記端末装置に配信する電子メール生成配信処理機能、
を設け、これらを前記コンピュータに実現させるようにしたことを特徴とする不応答着信情報供給プログラム。
【請求項９】
前記請求項７に記載の不応答着信情報供給プログラムにおいて、
前記メール判定処理機能が実行されて前記指定情報がＷｅｂページを指定していると判定された場合に、前記発側の携帯電話の携帯電話番号と，着側の前記携帯電話の携帯電話番号と，前記指定情報に記述されている着側の前記携帯電話の携帯電話番号に対応する前記ＵＲＬと不応答着信情報とが、それぞれ記述されたＷｅｂページ用の不応答着信通知データを生成する不応答着信通知データ生成処理機能、
及びこの不応答着信通知データ生成処理機能により生成されたＷｅｂページ用の不応答着信通知データに基づいて、前記不応答着信情報を記述したＷｅｂページを生成すると共に当該Ｗｅｂページを前記ＵＲＬに指定された記憶領域に記憶させるＷｅｂページ生成記憶処理機能、
を設け、これらを前記コンピュータに実現させるようにしたことを特徴とする不応答着信情報供給プログラム。
【発明の詳細な説明】
【技術分野】
【０００１】
本発明は、移動体電話端末（以下「携帯電話」という）にかかってきた着信が不応答であることを知らせる不応答着信情報を、この携帯電話又は端末装置に供給する不応答着信情報供給システム、不応答着信情報供給方法、およびその供給動作制御プログラムに関する。
【背景技術】
【０００２】
移動電話としての携帯電話は、電話が届かない場所，例えば高層ビルの高層フロアや地下フロアにあるオフィスや書斎にあるときには、通話ができない。このため、携帯電話を携帯するユーザは、着信が入ったことを知ることができず、はなはだ不便であるというのが実情である。
このような事情に対処するため、電話の着信が不応答であることをユーザに知する不応答着信情報が記述された電子メール等をインターネットを介してＰＣ等の端末装置に配信する技術が提案されている（例えば、特許文献１乃至３参照）。
【０００３】
【特許文献１】特開２００４−１７２９３９公報
【特許文献２】特開２００４−８８６４０号公報
【特許文献３】特開２００３−３０９８７８号公報
【発明の開示】
【発明が解決しようとする課題】
【０００４】
上述した各公知技術にあっては、ユーザの端末装置に配信される不応答着信情報を電子メール又はＷｅｂページとして、或いはその両方を、ユーザの希望する配信形態をとらずに端末装置に配信されていた。このため、ユーザの多くは多様な配信形態からなる不応答着信情報の配信を要望している場合が多い。
【０００５】
本発明は、上述したユーザからの社会的な要望に鑑み、ユーザの端末装置に配信される不応答着信情報をユーザが希望する多様な配信形態で配信することが可能な不応答着信供給システム、不応答着信情報供給方法、およびその供給動作制御プログラムを提供することを、その目的とする。
【課題を解決するための手段】
【０００６】
上記目的を達成するため、本発明にかかる不応答着信情報供給システムは、着側の携帯電話の着信が不応答であることを知らせる不応答着信情報を、当該携帯電話又は着側の携帯電話のユーザが使用する端末装置に供給するためのもので、前記着側の携帯電話番号と不応答着信情報とを電子メールに記述して前記端末装置に送信するか又は当該不応答着信情報をＷｅｂページに記述して前記端末装置に送信するかを指定する送信先指定情報、および前記端末装置に割り当てられたメールアドレス又はＵＲＬのいずれかが記述されたアドレス指定情報を記憶した不応答着信通知管理装置（指定情報記憶手段）と、前記不応答にかかる携帯電話番号が受信された後に前記不応答着信情報を記述したショートメッセージを生成して当該ショートメッセージを前記着側の携帯電話に送信するショートメッセージ送信装置とを備えている。
【０００７】
更に、この不応答着信情報供給システムは、上述したショートメッセージ送信装置により送信されたショートメッセージに対する前記携帯電話からの応答がない場合に機能し、前記記憶された携帯電話番号に対応する前記指定情報が電子メールであるか又はＷｅｂページであるかを判定する判定機能を有する不応答着信通知対応装置と、この不応答着信通知対応装置により電子メールを指定している判定された場合には、前記不応答着信情報を記述した電子メールを生成し当該電子メールを前記端末装置に配信するメール配信装置と、前記不応答着信通知対応装置により前記指定情報がＷｅｂページを指定していると判定された場合には、前記不応答着信情報を記述したＷｅｂページを生成し当該Ｗｅｂページを前記ＵＲＬに指定された箇所に記憶させるＷｅｂ情報配信装置とを備えたことを特徴とする（請求項１）。
【０００８】
このため、これによると、不応答着信通知対応装置が、着側の携帯電話についての前記指定情報が、電子メールを指定しているかＷｅｂページを指定しているかを判定するので、ユーザの端末装置に配信される不応答着信情報をユーザが希望する多様な配信形態で有効に且つ確実に配信することができるという利点がある。
【０００９】
ここで、前述した不応答着信通知管理装置は、前記指定情報が前記不応答着信通知対応装置によって電子メールを指定していると判定された場合に機能し、発側の携帯電話の番号と，着側の前記携帯電話の番号と，指定情報データに記述されている着側の前記携帯電話の番号に対応するメールアドレスと，前記不応答着信情報とがそれぞれ記述された電子メール用の不応答着信通知データ、を生成する電子メール用通知データ生成機能を備え、前記メール配信装置（電子メール配信手段）は、前記不応答着信通知管理装置により生成された電子メール用の不応答着信通知データから、前記不応答着信情報を記述した電子メールを生成しこれを前記端末装置に配信するように構成してもよい（請求項２）。
【００１０】
更に、前述した不応答着信通知管理装置は、前記不応答着信通知対応装置により前記指定情報がＷｅｂページを指定していると判定された場合に作動し、発側の携帯電話の携帯電話番号と，着側の前記携帯電話の携帯電話番号と，指定情報データ等記憶手段に記憶されている前記指定情報等データに記述されている着側の前記携帯電話の携帯電話番号に対応する前記ＵＲＬと，不応答着信情報とがそれぞれ記述されたＷｅｂページ用の不応答着信通知データ、を生成するＷｅｂページ用通知データ生成機能を備えた構成とし、更に前述したＷｅｂ情報配信装置は、前記不応答着信通知管理装置により生成されたＷｅｂページ用の不応答着信通知データから、前記不応答着信情報を記述したＷｅｂページを生成し、当該Ｗｅｂページを前記ＵＲＬに指定された箇所（記憶領域）に記憶させるＷｅｂページ記憶制御機能を備えた構成としてもよい（請求項３）。
【００１１】
上記目的を達成するため、本発明にかかる不応答着信情報供給システムは、着側の携帯電話の着信が不応答であることを知らせる不応答着信情報を、当該携帯電話又は着側の携帯電話のユーザが使用する端末装置に供給する不応答着信情報供給システムにあって、
前記着側の携帯電話番号と前記不応答着信情報とを電子メールに記述して前記端末装置に送信するか又は当該不応答着信情報をＷｅｂページに記述して前記端末装置に送信するかを指定する送信先指定情報および前記端末装置に割り当てられたメールアドレス又はＵＲＬのいずれかが記述されたアドレス指定情報が、予め装備された不応答着信通知管理装置に記憶されており、
前記不応答にかかる携帯電話番号が受信された場合にこれに基づいて前記不応答着信情報を記述したショートメッセージを、予め装備されたショートメッセージ送信装置が生成すると共に当該生成したショートメッセージを前記着側の携帯電話に送信し、
このショートメッセージ送信装置により送信された前記ショートメッセージに対する前記携帯電話からの応答がない場合に機能し、前記記憶された前記携帯電話番号に対応する前記指定情報が電子メールであるか又はＷｅｂページであるかを、予め装備された不応答着信通知対応装置が判定し、
この不応答着信通知対応装置により前記携帯電話番号に対応する前記指定情報が電子メールを指定している判定された場合に、予め装備されたメール配信装置が前記不応答着信情報を含む電子メールを生成すると共に当該生成した電子メールを前記端末装置に配信し、
前記不応答着信通知対応装置により前記指定情報がＷｅｂページを指定していると判定された場合に、予め装備されたＷｅｂ情報配信装置が前記不応答着信情報を記述したＷｅｂページを生成すると共に当該生成したＷｅｂページを前記ＵＲＬに指定された箇所に配信し記憶させることを特徴とする（請求項４）。
【００１２】
このため、着側の移動体電話端末に対して不応答着信情報を送信すると同時に着信者が備えているインターネット端末装置にも送り込むようにしたことから、移動体電話端末の着信範囲外にいても当該不応答着信情報を着信者は比較的容易に且つ確実に捕捉することができる。
【００１３】
ここで、前述した指定情報が前記不応答着信通知対応装置によって電子メールを指定していると判定された場合には、前記不応答着信通知管理装置が機能して発側の携帯電話の番号と，着側の前記携帯電話の番号と，指定情報データに記述されている着側の前記携帯電話の番号に対応するメールアドレスと，前記不応答着信情報とがそれぞれ記述された電子メール用の不応答着信通知データを生成し、
前記不応答着信通知管理装置により生成された電子メール用の不応答着信通知データに基づいて、前記メール配信装置が前記不応答着信情報を記述した電子メールを生成すると共にこれを前記端末装置に配信するようにしてもよい（請求項５）。
【００１４】
また、前述した指定情報が前記不応答着信通知対応装置によってＷｅｂページを指定していると判定された場合には、前記不応答着信通知管理装置が機能して、発側の携帯電話の携帯電話番号と，着側の前記携帯電話の携帯電話番号と，前記指定情報に記述されている着側の前記携帯電話の携帯電話番号に対応する前記ＵＲＬと不応答着信情報とが、それぞれ記述されたＷｅｂページ用の不応答着信通知データを生成し、
前記不応答着信通知管理装置により生成されたＷｅｂページ用の不応答着信通知データに基づいて前記Ｗｅｂ情報配信装置が、前記不応答着信情報を記述したＷｅｂページを生成すると共に当該Ｗｅｂページを前記ＵＲＬに指定された記憶領域に記憶させるようにしてもよい（請求項６）。
【００１５】
上記目的を達成するため、本発明にかかる不応答着信情報供給プログラムは、着側の携帯電話の着信が不応答であることを知らせる不応答着信情報を、該携帯電話又は着側の携帯電話のユーザが使用する端末装置に供給する不応答着信情報供給システムにあって、
前記着側の携帯電話番号と前記不応答着信情報とを電子メールに記述して前記端末装置に送信するか又は当該不応答着信情報をＷｅｂページに記述して前記端末装置に送信するかを指定する送信先指定情報および前記端末装置に割り当てられたメールアドレス又はＵＲＬのいずれかが記述されたアドレス指定情報が、予め装備された不応答着信通知管理装置に記憶されており、
前記不応答にかかる携帯電話番号が受信された場合にこれに基づいて前記不応答着信情報を記述したショートメッセージを、生成すると共に当該生成したショートメッセージを前記着側の携帯電話に送信するショートメッセージ生成送信処理機能、
この送信処理された前記ショートメッセージに対する前記携帯電話からの応答がない場合に機能し、前記記憶された前記携帯電話番号に対応する前記指定情報が電子メールであるか又はＷｅｂページであるかを判定するメール判定処理機能、
この判定により前記携帯電話番号に対応する前記指定情報が電子メールを指定している判定された場合に、前記不応答着信情報を含む電子メールを生成すると共に当該生成した電子メールを前記端末装置に配信する電子メール生成配信処理機能、
及び前記判定により前記指定情報がＷｅｂページを指定していると判定された場合に、前記不応答着信情報を記述したＷｅｂページを生成すると共に当該生成したＷｅｂページを前記ＵＲＬに指定された箇所に配信し記憶させるＷｅｂページ生成配信処理機能、
を設け、これらの各処理機能をコンピュータに実現させるようにしたことを特徴とする（請求項７）。
【００１６】
ここで、上記メール判定処理機能が実行されて前記指定情報が電子メールを指定していると判定された場合に、前記発側の携帯電話の番号と，着側の前記携帯電話の番号と，前記指定情報に記述されている着側の前記携帯電話の番号に対応するメールアドレスと，前記不応答着信情報とがそれぞれ記述された電子メール用の不応答着信通知データを生成する不応答着信通知データ生成処理機能、
及びこの不応答着信通知データ生成処理機能により生成された電子メール用の不応答着信通知データに基づいて、前記不応答着信情報を記述した電子メールを生成すると共にこれを前記端末装置に配信する電子メール生成配信処理機能、
を設け、これらを前記コンピュータに実現させるようにしてもよい（請求項８）。
【００１７】
又、上記メール判定処理機能が実行されて前記指定情報がＷｅｂページを指定していると判定された場合に、前記発側の携帯電話の携帯電話番号と，着側の前記携帯電話の携帯電話番号と，前記指定情報に記述されている着側の前記携帯電話の携帯電話番号に対応する前記ＵＲＬと不応答着信情報とが、それぞれ記述されたＷｅｂページ用の不応答着信通知データを生成する不応答着信通知データ生成処理機能、
及びこの不応答着信通知データ生成処理機能により生成されたＷｅｂページ用の不応答着信通知データに基づいて、前記不応答着信情報を記述したＷｅｂページを生成すると共に当該Ｗｅｂページを前記ＵＲＬに指定された記憶領域に記憶させるＷｅｂページ生成記憶処理機能、
を設け、これらを前記コンピュータに実現させるようにしてもよい（請求項９）。
【発明の効果】
【００１８】
本発明は以上のように構成され機能するので、これによると、着信側の不応答にかかる情報を、当該不応答にかかる着信側移動電話端末に送信すると共にインターネットを介して着信者のインターネット端末装置（ＰＣ端末）にも送り込まれることから、移動体電話端末の電波が届かないオフィスや書斎でも、インターネットを使用しているので、手軽に不応答着信通知を受信できる。
又、前述したＷｅｂ情報配信装置を組み込んだシステムにあっては、不応答着信通知をインターネットを使用してアクセスしているので、ウェブアクセスによるプル型の情報取得が容易に可能になるという従来にない優れた不応答着信情報供給システム、不応答着信情報供給方法、およびその供給動作制御プログラムを提供することができる。
【発明を実施するための最良の形態】
【００１９】
以下、本発明を実施するための最良の形態を図面を参照して説明する。
この実施形態は、移動体電話サービスの付加サービスを提供するシステムにおいて、移動体電話端末に着信があった際に、着信ユーザ側で応答できなかった場合に、当該着信不応答ユーザの移動体電話端末に対して不応答着信通知を配信するサービスをその内容とするものであり、移動体電話端末への通知が困難な状況下における補助手段として、インターネット経由で着信ユーザが使用するＰＣ端末等のインターネットアクセス端末へも通知するサービスを提供することを意図したものとなっている。
【００２０】
〔第１の実施形態〕
図１に、本第１実施形態にかかる不応答着信情報供給システムを示す。
この図１に示すように不応答着信情報供給システムは、着側の移動体電話端末２０１の着信が不応答であることを知らせる文字情報ベースの不応答着信情報を、当該移動体電話端末２０１に供給するもので、着側の移動体電話端末２０１にかかる電話番号と前記不応答着信情報とを記述して前記電話端末２０１に送信するための不応答送信情報を形成すると共に当該不応答送信情報を記憶する不応答着信通知管理装置２と、この不応答着信通知管理装置２に記憶された前記不応答送信情報を通信網９０を介して前記移動体電話端末２０１へ送り込む文字情報配信装置３とを備えている。又、前述した不応答着信通知管理装置２には、当該不応答着信通知管理装置２に記憶された前記不応答送信情報をインターネット９１を介して前記移動体電話端末２０１にかかる着信者が備えているインターネットアクセス端末２０２に送り込むインターネット配信装置５が併設されている。
【００２１】
更に、この図１において、符号２００は着信ユーザ側を示し、符号１００は前述した着信ユーザにかかる発信ユーザ側を示す。また、符号１０１は発信ユーザ側１００の電話端末を示し、符号１は移動体通信事業者にかかる通話設備を示す。そして、この図１では、この通話設備１を介して前述した発信ユーザ側の電話端末１０１が着信ユーザ側（着側）２００の移動体電話端末２０１と通話するための回線接続がなされる場合が想定されている。
【００２２】
又、移動体電話端末１０１は、前述したように、発信ユーザ１００から着信ユーザ２００へ向け、通話ベースのサービスを利用する発呼する端末（発信元）を表している。移動体通信事業者の通話設備１は、移動体電話端末１０１からの呼を回線交換する設備を表している。更に、移動体電話端末２０１は、発信ユーザ１００からの通話ベースの着信及び文字情報ベースの不応答着信通知の受信がＮＧ状態（受信できない状態）の端末を表している。
【００２３】
ここで、各構成部材の機能および動作を説明する。
不応答着信通知管理装置２は、通話設備１から不応答着信呼の情報を受信し、各ユーザ毎の不応答着信子呼を管理し、文字情報ベースの不応答着信通知データを不応答着信通知文字情報配信装置（以下「文字情報配信装置」という）３へ送出する。この文字情報配信装置３は、前述した不応答着信通知管理装置２から送り込まれる文字情報ベースの不応答着信通知データを受信し、移動体電話事業者の通信網９０を経由して、着信ユーザ２００の移動体電話端末２０１へ前記不応答着信通知を配信する。
不応答着信通知インターネット配信装置５は、不応答着信通知管理装置２から前記不応答着信通知データを受信し、インターネット９１を経由して、着信ユーザ２００が備えている不応答着信通知受信用のインターネットアクセス端末２０２へ前記不応答着信通知を配信する。この不応答着信通知受信用のインターネットアクセス端末２０２は、不応答着信通知インターネット配信装置５から配信される文字情報ベースの前記不応答着信通知をインターネット９１経由で受信し表示する。
【００２４】
次に、上記第１実施形態における全体的な動作を説明する。
まず、着側の移動体電話端末２０１の着信が不応答である場合、最初に不応答着信通知管理装置２によって当該着側の移動体電話端末２０１にかかる電話番号と前記不応答着信情報とを記述した不応答送信情報が形成され当該不応答着信通知管理装置２の記憶部に記憶される（不応答着信通知管理工程）。
【００２５】
続いて、この不応答着信通知管理装置２に記憶された不応答送信情報は、文字情報配信装置３でショートメッセージに加工され、当該文字情報配信装置３によって前記通信網９０を介して着側の移動体電話端末２０１へ送り込まれる（文字情報配信工程）。
この文字情報の配信と同時に前記記憶された不応答送信情報がインターネット配信装置５からインターネット９１を介して前記移動体電話端末２０１にかかる着信者が備えているインターネット端末装置（ＰＣ端末）に送り込まれるようになっている（インターネット配信工程）。
このようにして、着信側の不応答にかかる情報は、インターネット９１を介して着信者のインターネット端末装置（ＰＣ端末）に送り込まれ、これによって着信者は比較的容易に且つ確実に当該着側の移動体電話端末２０１が着信不応答であることを知ることが出来る。
【００２６】
このように、本第１実施形態では、例えば高層ビルの高層フロアや地下フロアで働くユーザや自宅が（会社から支給される）携帯電話のエリア外にある場合等、通常の作業場所が、移動体電話端末１０１の電波が届かない等の要因を抱えているケースでは、通話も文字情報ベースの通知も利用できない状況下にあるため、インターネット経由にて、インターネットアクセス端末２０２に自分の移動体電話端末２０１へ不応答着信があった旨の通知を、よりタイムリーに受けることができる。
【００２７】
ここで、上述した不応答着信通知管理工程，文字情報配信工程，およびインターネット配信工程の各工程における実行動作の制御内容についてはこれをプログラム化してコンピュータに実行させるように構成してもよい。
このようにしても、上述した実施形態の場合とほぼ同等の効果を得ることができる。
【００２８】
〔第２の実施形態〕
次に、第２の実施形態を図２乃至図４に基づいて説明する。
この第２の実施形態にかかる不応答着信情報供給システムは、図２に示すように、携帯電話事業者に設置されている交換機（ＭＳＣ）１０、不応答着信通知管理装置２０、ショートメッセージ送信装置３０、不応答着信通知対応装置４０、メール配信装置５０、及びＷｅｂ情報配信装置６０と、発信側１００の携帯電話１０１に対する着信側２００の携帯電話２０１と、着信側２００に装備された不応答着信通知用ＰＣ端末８０とを備えて構築されている。
【００２９】
ここで、交換機（ＭＳＣ）１０は、通信網９０と不応答着信通知管理装置２０とに対してＳＳ７（Signaling System No ７：共通線信号方式）により接続されている。ショートメッセージ送信装置３０も、通信網９０に対してはＳＳ７（Signaling System No ７：共通線信号方式）により接続されている。
【００３０】
交換機（ＭＳＣ）１０は、通信網９０を介して発側の携帯電話１０１が送信した着側の携帯電話２０１に対するコネクション設定要求を受信し、通信網９０を介してコネクション設定要求を着側の携帯電話２０１に送信する。また、交換機（ＭＳＣ）１０は、着側の携帯電話２０１から先に送信したコネクション設定要求に対する応答がない場合には、発側の携帯電話２０１の携帯電話番号及び着側の携帯電話２０１の携帯電話番号、並びに、コネクション設定要求に対する応答が着側の携帯電話２０１からなかった旨の情報を不応答着信通知管理装置２０に出力する。
【００３１】
不応答着信通知管理装置２０は、記憶部（図示せず）を有しており、この記憶部には、図２に示すように、指定情報リスト２１を記憶する。指定情報リスト２１は、着側の携帯電話２０１の携帯電話番号項目と、指定情報項目と、メールアドレス項目と、ＵＲＬ（Uniform Resource Locator) 項目とを有する指定情報リストデータが記述されている。
着側の携帯電話２０１の携帯電話番号項目には、コネクション設定要求に対する応答を受信することができなかった着側の携帯電話２０１に割り当てられた携帯電話番号が記述されている。
指定情報項目には、携帯電話２０１が不応答であることを知らせる不応答着信情報を電子メールに記述して不応答着信通知用ＰＣ端末８０に送信するか、又は、Ｗｅｂページに記述して不応答着信通知用ＰＣ端末８０に送信するかを指定する指定情報が記述されている。
【００３２】
メールアドレス項目には、不応答着信通知用ＰＣ端末８０に割り当てられたメールアドレスが記述されている。ＵＲＬ項目には、不応答着信通知用ＰＣ端末８０に割り当てられたＵＲＬが記述されている。なお、指定情報項目に電子メールが記述されていると、メールアドレス項目にはメールアドレスが記述されているが、ＵＲＬ項目にはＵＲＬが記述されていない。また、指定情報項目にＷｅｂページが記述されていると、メールアドレス項目にはメールアドレスが記述されていないが、ＵＲＬ項目にはＵＲＬが記述されている。
【００３３】
また、不応答着信通知管理装置２０は、交換機（ＭＳＣ）１０から、発側の携帯電話１０１のコネクション設定要求に対する応答が着側の携帯電話２０１からなかった旨の情報が交換機（ＭＳＣ）１０から入力されると、発側の携帯電話１０１の携帯電話番号及び着側の携帯電話２０１の携帯電話番号、並びに、不応答着信情報が記述した後述するショートメッセージ用の不応答着信通知データを生成し、携帯電話事業者３に設置されているショートメッセージ送信装置３０に生成した不応答着信通知データをＳＭＰＰプロトコルで送信する。
【００３４】
また、不応答着信通知管理装置２０は、ショートメッセージ送信装置３０からショートメッセージに対する応答が着側の携帯電話２０１からない旨を受信すると、発側の携帯電話１０１の携帯電話番号と、着側の携帯電話２０１の携帯電話番号と、指定情報リスト２１に記述されている着側の携帯電話２０１の携帯電話番号に対応する電子メールまたはＵＲＬと、不応答着信情報とが記述された不応答着信通知データ（電子メール又はＷｅｂページ用）を生成し、この不応答着信通知データをＳＭＰＰプロトコルで不応答着信通知対応装置４０に送信する。
【００３５】
また、不応答着信通知管理装置２０は、着側の携帯電話２０１の携帯電話番号と、指定情報項目に記述する指定情報と、この指定情報に対応するメールアドレス又はＵＲＬとを、インターネット９１を介して不応答着信通知用ＰＣ端末８０から受信すると、指定情報リストデータを生成し、この指定情報リストデータを指定情報リスト２１に登録する。
【００３６】
ショートメッセージ送信装置３０は、不応答着信通知管理装置２０から受信した不応答着信通知データからショートメッセージを生成し、このショートメッセージを携帯電話事業者通信網９０を介して着側の携帯電話２０１に送信する。また、ショートメッセージ送信装置３０は、送信したショートメッセージに対する応答が着側の携帯電話２０１から携帯電話事業者通信網９０を介して送信されていたか否かを判定し、その判定結果を不応答着信通知管理装置２０に通知する。
【００３７】
不応答着信通知対応装置４０は、不応答着信通知管理装置２０から不応答着信通知データを受信すると、受信した不応答着信通知データを解析し、この不応答着信通知データにメールアドレスが記述されているか、又は、ＵＲＬが記述されているかを判定する。不応答着信通知対応装置４０は、電子メールが不応答着信通知データに記述されている場合には、このデータを携帯電話事業者に設置されているメール配信装置５０に送信する。一方、不応答着信通知対応装置４０は、ＵＲＬが不応答着信通知データに記述されている場合には、このデータを携帯電話事業者に設置されているＷｅｂ情報配信装置６０に送信する。
【００３８】
メール配信装置５０は、受信した不応答着信通知データを基にして、不応答着信情報を有する電子メールを生成し、不応答着信通知用ＰＣ端末８０に割り当てられたメールアドレスのメールボックス（図示せず）に生成した電子メールを配布する。また、メール配信装置５０は、電子メールがメールボックスに配布された旨を不応答着信通知用ＰＣ端末８０に送信する。
【００３９】
Ｗｅｂ情報配信装置６０は、受信した不応答着信通知データを基にして、不応答着信情報を有するＷｅｂページを生成し、このＷｅｂページをＵＲＬにより指定された記憶部（図示せず）に記憶する。また、Ｗｅｂ情報配信装置６０は、着側の携帯電話２０１のユーザの操作により、不応答着信通知用ＰＣ端末８０から送信要求があると、記憶部に記憶されているＷｅｂページを不答着信通知用ＰＣ端末８０に送信する。
【００４０】
不応答着信通知用ＰＣ端末８０は、メーラ及びＷｅｂブラウザを有し、上述した電子メールをメール配信装置５０から受信するとともに、上述したＷｅｂページをＷｅｂ情報配信装置６０から受信する。また、不応答着信通知用ＰＣ端末８０は、着側の携帯電話の携帯電話番号と、指定情報項目に記述する指定情報と、この指定情報に対応するメールアドレス又はＵＲＬとを、インターネット９１を介して不応答着信通知管理装置２０に送信する。
【００４１】
次に、本第２実施形態にかかる不応答着信情報供給システムの動作を図４に基づいて説明する。
この図４において、発側の携帯電話１０１が着側の携帯電話２０１に対するコネクション設定要求（通話要求又は接続要求）を携帯電話事業者の通信網９０を介して交換機（ＭＳＣ）１０に送信すると、交換機（ＭＳＣ）１０は、受信したコネクション設定要求を通信網９０を介して着側の携帯電話２０１に送信する。（ステップＳ１０）。
【００４２】
その後、交換機（ＭＳＣ）１０は、着側の携帯電話２０１からコネクション設定要求に対する応答（以下「コネクッション応答」という）があったか否かを判定する（ステップＳ１１）。交換機（ＭＳＣ）１０は、携帯電話２０１からコネクション応答があったと判定した場合には（ステップＳ１１；ＹＥＳ）、以後、通常の回線接続処等理を行う（ステップＳ１２）。すなわち、交換機（ＭＳＣ）１０は、発側の携帯電話１０１と着側の携帯電話２０１との間のコネクションの確立処理等を行ったのち、通話を開始させ、その後、コネクションを解消する処理を行い、処理を終了する。
【００４３】
一方、交換機（ＭＳＣ）１０は、携帯電話７１からコネクション応答がなかったと判定した場合には（ステップＳ１１：ＮＯ）、先に受信したコネクション設定要求に記述されていた発側の携帯電話１０１の携帯電話番号及び着側携帯電話２０１の携帯電話電話番号並びにコネクッション応答がない旨を、不応答着信通知管理装置２０に送信する（ステップＳ１３）。
【００４４】
例えば、発側の携帯電話１０１の携帯電話番号が「０９０１２３４５６８９」であり、着側の携帯電話２０１の携帯電話番号が「０９０１１１２２２３３」である場合には、不応答着信通知管理装置２０には、これらの電話番号と、コネクッション応答がない旨が送信される。
【００４５】
不応答着信通知管理装置２０は、発側の携帯電話１０１の携帯電話番号及び着側の携帯電話の携帯電話番号、並びに、コネクッション応答がない旨が入力されると、例えば、「発側の携帯電話１０１の電話番号：「０９０１２３４５６８９」、着側の携帯電話２０１の携帯電話番号：「０９０１１１２２２３３」、文字情報からなる不応答着信情報：『「××月××日××時××分」に電話番号が「０９０１１１２２２３３」の携帯電話２０１から着信依頼がありました」』という不応答着信通知データを生成し、このデータを携帯電話事業者３に設置されているショートメッセージ送信装置３０にＳＭＰＰプロトコルで送信する（ステップＳ１４）。
【００４６】
ショートメッセージ送信装置３０は、受信した不応答着信通知データを用いて、例えば、『「××月××日××時××分」に電話番号が「０９０１１１２２２３３」の携帯電話２０１から着信依頼がありました」』というショートメッセージを生成し、このショートメッセージを通信網９０を介して携帯電話２０１に送信する（ステップＳ１５）。その後、ショートメッセージ送信装置３０は、携帯電話２０１から送信したショートメッセージに対する応答があったか否かを判定する（ステップＳ１６）。
【００４７】
ショートメッセージ送信装置３０は、応答があったと判定した場合には（ステップＳ１６；ＹＥＳ）、処理を終了し、一方、応答が無かったと判定した場合には（ステップＳ１６；ＮＯ）、その旨を不応答着信通知管理装置２０に送信する。
【００４８】
不応答着信通知管理装置２０は、ショートメッセージ送信装置３０から応答が無かった旨を受信すると、図２に示す指定情報リスト２１に記述されている着側の携帯電話２０１の携帯電話番号に対応する指定情報が、電子メールであるかＷｅｂページであるかを判定する（ステップＳ１７）。不応答着信通知管理装置２０は、指定情報が電子メールであると判定した場合には（ステップＳ１７；電子メール）、指定情報リスト２１に記述されている不応答着信通知用ＰＣ端末８０に割り当てられたメールアドレスを読み出す。
【００４９】
その後、不応答着信通知管理装置２０は、発側の携帯電話１０１の携帯電話番号と、着側の携帯電話２０１の携帯電話番号と、指定情報リスト２１に記述されている着側の携帯電話２０１の携帯電話番号に対応する電子メールと、不応答着信情報とが、それぞれ記述された電子メール用の不応答着信通知データを生成し、この不応答着信通知データをＳＭＰＰプロトコルで不応答着信通知対応装置４０に送信する（ステップＳ１８）。
【００５０】
例えば、「発側の携帯電話１０１の電話番号：「０９０１２３４５６８９」、着側の携帯電話２０１の携帯電話番号：「０９０１１１２２２３３」、電子メール：「ａｂｃ＠ａｓｈａ．ｃｏ．ｊｐ」、文字情報からなる不応答着信情報：『「××月××日××時××分」に電話番号が「０９０１１１２２２３３」の携帯電話から着信依頼がありました」』という不応答着信通知データが生成され、このデータが携帯電話事業者４に設置されている不応答着信通知対応装置４０に送信される。
【００５１】
不応答着信通知対応装置４０は、受信した不応答着信通知データを解析し、メールアドレスが記述されているのを確認し、この不応答着信通知データをメール配信装置５０に送信する（ステップＳ１９）。
【００５２】
メール配信装置５０は、受信した不応答着信通知データに基づいて不応答着信通知用ＰＣ端末８０に配信する電子メールを作成し、不応答着信通知用ＰＣ端末８０のメースアドレスにより指定されたメールボックスに作成した電子メールを配信するとともに、電子メールがある旨の情報をインターネット９１を介して不応答着信通知用ＰＣ端末８０に送信する（ステップＳ２０）、処理を終了する。
【００５３】
ステップＳ１７において、不応答着信通知管理装置２０は、指定情報がＷｅｂページであると判定した場合には（ステップＳ１７；Ｗｅｂページ）、指定情報リスト２１に記述されている不応答着信通知用ＰＣ端末８０に割り当てられたＵＲＬを読み出す。
【００５４】
その後、不応答着信通知管理装置２０は、発側の携帯電話の携帯電話番号と、着側の携帯電話２０１の携帯電話番号と、指定情報リスト２１に記述されている着側の鵜応答着信通知用ＰＣ端末８０に割り当てられたＵＲＬと、不応答着信情報とが記述されたＷｅｂページ用の不応答着信通知データを生成し、この不応答着信通知データをＳＭＰＰプロトコルで不応答着信通知対応装置４０に送信する（ステップＳ２１）。
【００５５】
例えば、「発側の携帯電話の電話番号：「０９０１２３４５６８９」、着側の携帯電話の携帯電話番号：「０９０１１１２２２３３」、ＵＲＬ：「ｈｔｔｐ：／／ｗｗｗ．ａｂｃ．ｃｏ．ｊｐ」、文字情報からなる不応答着信情報：「「××月××日××時××分」に電話番号が「０９０１１１２２２３３」の携帯電話から着信依頼がありました」」という不応答着信通知データが生成され、このデータが携帯電話事業者４に設置されている不応答着信通知対応装置４０に送信される。
【００５６】
不応答着信通知対応装置４０は、受信した不応答着信通知データを解析し、ＵＲＬが記述されているのを確認し、この不応答着信通知データをＷｅｂページ配信装置６０に送信する（ステップＳ２２）。
【００５７】
Ｗｅｂページ配信装置６０は、受信した不応答着信通知データを基にして不応答着信通知用ＰＣ端末８０に配信するＷｅｂページを作成し、このＷｅｂページをＵＲＬにより指定された記憶部（図示せず）に記憶し（ステップＳ２３）、処理を終了する。
【００５８】
この構成によれば、不応答着信通知管理装置２０が、指定情報リスト２１記述されている着側の携帯電話２０１についての指定情報が、電子メールを指定しているかＷｅｂページを指定しているかを判定するので、不応答着信通知用ＰＣ端末８０に配信される不応答着信情報をユーザが希望する多様な配信形態で配信することができる。
【００５９】
上述したように、この第２の実施形態によれば、不応答着信通知管理装置２０が、不応答着信通知用ＰＣ端末８０から受信した携帯電話番号、指定情報、及びメールアドレス又はＵＲＬを基にして、指定情報リストデータを生成し、このデータを指定情報リスト２１に登録するので、ユーザの端末装置に配信される不応答着信情報をユーザの希望する配線形態に設定することができる。
【００６０】
以上説明したように、本発明においては、上述した各実施形態でも明らかなように、着信不応答ユーザに対し、不応答の着信があった旨を通知する機能を有する移動体通信システムにおける付加システムにおいて、携帯電話端末への通知に加え、ＰＣ端末への通知機能／ＰＣ端末からの参照機能についても提供する構成を設けたので、以下のような効果を奏する。
第１の効果は、移動体電話端末の電波が届かないオフィスや書斎でも、インターネットを使用しているので、手軽に不応答着信通知を受信できることである。
又、第２の効果は、不応答着信通知をインターネットを使用してアクセスしているので、ウェブアクセスによるプル型の情報取得が容易に可能になる。
【図面の簡単な説明】
【００６１】
【図１】本発明に係る不応答着信情報供給システムの第１実施形態の構成を示すブロック図である。
【図２】本発明に係る不応答着信情報供給システムの第２実施形態の構成を示すブロック図である。
【図３】図２に開示した第２実施形態における指定情報リストの一例を示す図表である。
【図４】本発明に係る不応答着信情報供給の実施形態の動作を示すフローチャートである。
【符号の説明】
【００６２】
１  移動体通信事業者による通話設備
１０  交換機（ＭＳＣ）
２，２０  不応答着信通知管理装置
３  文字情報配信装置
５  インターネット配信装置
３０  ショートメッセージ送信装置
４０  不応答着信通知対応装置
５０  メール配信装置
６０  Ｗｅｂ情報配信装置
８０  不応答着信通知用のＰＣ端末
９０  通信網
９１  インターネット
１０１  発信側の携帯電話
２０１  着信側の携帯電話
【図１】
0004821408.tif 000002
【図２】
0004821408.tif 000003
【図３】
0004821408.tif 000004
【図４】
0004821408.tif 000005